(57)【要約】【課題】２方向操作スイッチのスイッチ部と４方向操作スイッチのスイッチ部とが同じゴム接点構成のスイッチを使うことができると共に、スイッチ装置の小型化が図れるスイッチ装置を提供する。【解決手段】第２の操作ノブ４は開口部に左右方向へ回転操作可能に設けられると共に、その一端側に突起状の駆動カム部５ｃを設け、収納部１ａには駆動カム部５ｃに当接し駆動される作動部材６、７を配設し、第２の操作ノブ４が左右方向に回転操作される際、駆動カム部５ｃが作動部材６、７を上下方向に昇降移動させることにより、第２のスライド１１を上下方向に摺動させ、第２のスイッチ部１４を作動するようにした。【選択図】        図１
2004342503.tif 000002
【特許請求の範囲】
【請求項１】
収納部を有するケースと、中央に開口部を有し、前記ケースに多方向へ揺動操作可能に取付けられた第１の操作ノブと、この第１の操作ノブの前記開口部に挿通され、２方向へ操作可能な第２の操作ノブと、前記収納部に収納され前記第１の操作ノブの揺動操作に伴って収納部内を摺動する第１のスライドと、前記収納部に収納され前記第２の操作ノブの操作に伴って収納部内を摺動する第２のスライドと、前記第１及び第２のスライドの摺動により作動される第１及び第２のスイッチ部とを備え、前記第２の操作ノブは前記開口部に左右方向へ回転操作可能に設けられると共に、その一端側に突起状の駆動カム部を設け、前記収納部には前記駆動カム部に当接し駆動される作動部材を配設し、前記第２の操作ノブが左右方向に回転操作される際、前記駆動カム部が前記作動部材を上下方向に昇降移動させることにより、前記第２のスライドを上下方向に摺動させ、前記第２のスイッチ部を作動するようにしたことを特徴とするスイッチ装置。
【請求項２】
前記ケースの収納部には、前記第２の操作ノブが挿着されるホルダーを備え、このホルダーの一端側に前記突起状の駆動カム部を形成したことを特徴とする請求項１記載のスイッチ装置。
【請求項３】
前記作動部材には、傾斜面からなる作動カム部と、移動方向とは直交する方向へ突出した係合腕部を形成し、前記第２の操作ノブが左右方向に回転操作される際、前記突起状の駆動カム部が前記作動カム部の傾斜面を摺動することにより前記作動部材を上下方向に昇降移動させると共に、前記係合腕部が前記第２のスライドと係合し前記第２のスライドを上下方向に摺動させることを特徴とする請求項１又は２記載のスイッチ装置。
【請求項４】
前記ケースの収納部に、前記作動部材を対向させて２個配設すると共に、前記突起状の駆動カム部を、対向された一対の傾斜面の交わる頂点で構成し、この一対の傾斜面に前記作動カム部の傾斜面をそれぞれ対向させて配置するようにしたことを特徴とする請求項３記載のスイッチ装置。
【請求項５】
前記第１及び第２のスイッチ部は、ラバースプリングを有するゴム接点で構成されたことを特徴とする請求項１乃至４の何れかに記載のスイッチ装置。
【発明の詳細な説明】
【０００１】
【発明の属する技術分野】
本発明は、スイッチ装置に係り、特に自動車の電動リモートコントロールミラー用として使用される多方向操作型のスイッチ装置の構造に関する。
【０００２】
【従来の技術】
従来のスイッチ装置の構造としては、一般的に、４方向（十字方向）上の４箇所でプッシュ操作する操作プレート（ノブ）がケースに揺動可能に取付けられており、このケース内には４組のスイッチが操作プレートと対向して配置されている。この４方向スイッチ装置は、例えば２方向スイッチ装置と組み合わせて、自動車用の電動リモートコントロールミラーの左右のミラー面を上下左右方向に傾動させるスイッチ装置として使用されている（例えば、特許文献１参照）。
【０００３】
以下、従来のスイッチ装置の構造を図に基づいて説明する。
図４及び図５は従来のスイッチ装置の構造を示し、図４はスイッチ装置の断面図、図５は同じく動作状態時の断面図である。
【０００４】
図において、１Ａは上部ケースで、合成樹脂などの絶縁材からなり、上面１０Ａ及び下面１１Ａが開口されており、中央に中仕切板１２Ａが一体に設けられている。２Ａは下部ケースで、同じく合成樹脂などの絶縁材からなり、上面２０及び下面２１が開口されており、中央に中仕切板２２が一体に設けられている。
【０００５】
前記上部ケース１Ａの上面開口部１０Ａには操作プレート３Ａが揺動可能に取付けられており、また、前記上下部ケース１Ａ及び２Ａ内には４組のスイッチ及び４個のアクチュエータ４１〜４４が内臓されている。さらに前記上下ケース１Ａ及び２Ａ内には２方向スイッチ装置８Ａが装備されている。
【０００６】
操作プレート３Ａは、合成樹脂からなり、略正方形の形状をなし、４組のスイッチ及び４個のアクチュエータ４１〜４４を介して上部ケース１の開口部１０Ａに揺動可能に取付けられ４方向にプッシュ操作可能に構成されている。
【０００７】
５Ａ及び６Ａは４組のスイッチを構成するラバースプリング及び電気回路基板である。ラバースプリング５Ａは、シリコンゴムなどの弾性及び絶縁性を有する部材からなり、このラバースプリング５Ａの内面には導電性の部材からなる可動接点５１〜５８が形成されている。また、前記電気回路基板６Ａの一面にはこれと対向して固定接点（図示せず）がそれぞれ設けられている。
【０００８】
上記操作プレート３Ａを４箇所でそれぞれプッシュ操作することにより、４個の前記アクチュエータ４１〜４４を介して４組のスイッチ（可動接点５１〜５８とこれに対向する固定接点）がそれぞれ作動するものとなる。
【０００９】
２方向スイッチ８Ａは、切替ノブ８０と、スライダ８１と、コンタクト８２と、節度感付与機構８３、８４、８５とを備える。前記２方向スイッチ８Ａは、前記切替ノブ８０が前記上部ケース１の中仕切板１２Ａのガイド開口部１０３に設けられた軸部１０４に回動可能に取付けられている。
【００１０】
前記切替ノブ８０を、図４の中立状態から、図５の矢印方向（左方向）に傾倒すると、ピン８４が図５中矢印方向（右方向）に傾斜面８３上を乗り越えて移動し、前記スライダ８１と前記コンタクト８２が図５中矢印方向（右方向）へスライドしコンタクト８２の接点が電気回路基板６Ａの下面の固定接点（図示せず）と接触して所望の回路が構成されるものとなる。
【００１１】
【特許文献１】
特開平０８−２１２８７５号公報
【００１２】
【発明が解決しようとする課題】
しかしながら、上述した従来のスイッチ装置の構造においては、前記上下部ケース１Ａ及び２Ａに４方向に揺動操作可能に取付けられた前記操作プレート３Ａの中央に、２方向スイッチ装置として、操作ノブが傾倒操作されて切替回路を構成する、前記２方向スイッチ８Ａを取付けた構成となっていることから、回路を切り替えるためには前記切替ノブ８０を傾倒操作させなければならず、この切替ノブ８０が傾倒するための倒れストロークを確保する必要があり、前記上下部ケース１Ａ及び２Ａが大型化してしまい、スイッチ装置の小型化が困難であるという問題があった。
【００１３】
また、４方向操作スイッチの４組のスイッチとして、ラバースプリングを有するゴム接点の構成とする場合には、前記２方向スイッチ８Ａのスイッチとの共通化が困難なため、スイッチ装置の構成が複雑になり、コストアップになるという問題があった。
【００１４】
したがって、本発明では上述した問題点を解決し、２方向操作スイッチのスイッチ部と４方向操作スイッチのスイッチ部とが同じゴム接点構成のスイッチを使うことができると共に、スイッチ装置の小型化が図れるスイッチ装置を提供することを目的とする。
【００１５】
【課題を解決するための手段】
上記課題を解決するために本発明では第１の手段として、収納部を有するケースと、中央に開口部を有し、前記ケースに多方向へ揺動操作可能に取付けられた第１の操作ノブと、この第１の操作ノブの前記開口部に挿通され、２方向へ操作可能な第２の操作ノブと、前記収納部に収納され前記第１の操作ノブの揺動操作に伴って収納部内を摺動する第１のスライドと、前記収納部に収納され前記第２の操作ノブの操作に伴って収納部内を摺動する第２のスライドと、前記第１及び第２のスライドの摺動により作動される第１及び第２のスイッチ部とを備え、前記第２の操作ノブは前記開口部に左右方向へ回転操作可能に設けられると共に、その一端側に突起状の駆動カム部を設け、前記収納部には前記駆動カム部に当接し駆動される作動部材を配設し、前記第２の操作ノブが左右方向に回転操作される際、前記駆動カム部が前記作動部材を上下方向に昇降移動させることにより、前記第２のスライドを上下方向に摺動させ、前記第２のスイッチ部を作動するようにしたことを特徴とする。
【００１６】
また、第２の手段として、前記ケースの収納部には、前記第２の操作ノブが挿着されるホルダーを備え、このホルダーの一端側に前記突起状の駆動カム部を形成したことを特徴とする。
【００１７】
また、第３の手段として、前記作動部材には、傾斜面からなる作動カム部と、移動方向とは直交する方向へ突出した係合腕部を形成し、前記第２の操作ノブが左右方向に回転操作される際、前記突起状の駆動カム部が前記作動カム部の傾斜面を摺動することにより前記作動部材を上下方向に昇降移動させると共に、前記係合腕部が前記第２のスライドと係合し前記第２のスライドを上下方向に摺動させることを特徴とする。
【００１８】
また、第４の手段として、前記ケースの収納部に、前記作動部材を対向させて２個配設すると共に、前記突起状の駆動カム部を、対向された一対の傾斜面の交わる頂点で構成し、この一対の傾斜面に前記作動カム部の傾斜面をそれぞれ対向させて配置するようにしたことを特徴とする。
【００１９】
また、第５の手段として、前記第１及び第２のスイッチ部は、ラバースプリングを有するゴム接点で構成されたことを特徴とする。
【００２０】
【発明の実施の形態】
以下、本発明の一実施例を図１乃至図３に示す。図１はスイッチ装置の分解斜視図、図２は２方向スイッチ部分の部分詳細図、図３は２方向スイッチ部分の動作状態の部分詳細図である。
【００２１】
図において、ケース１は、合成樹脂などの絶縁材で内部に収納部１ａを有する下面開口状の箱型に形成されている。このケース１の上面側には後述する第１の操作ノブ２が揺動可能に取付けられる略方形状をした基台部１ｂが設けられており、この基台部１ｂの中央には、後述するホルダー５が回転可能に挿通される挿通孔１ｃが設けられている。また、この挿通孔１ｃの周りには、同心円上に形成され、後述する第２の操作ノブ４のガイドアーム４ｃが挿通されるガイド孔１ｄが形成されている。
【００２２】
また、前記ガイド孔１ｄの外側で前記基台部１ｂの対角線上の４角には、後述する第１のスライド１０の一端側が突出され、上下方向に昇降移動自由に挿通される第１の摺動孔１ｅが設けられている、また、前記基台部１ｂの４辺のうち一方の対向する２辺の近傍には、後述する第２のスライド１１の一端側が突出され、同じく上下方向に昇降移動自由に挿通される第２の摺動孔１ｆが設けられている。
【００２３】
また、前記第２の摺動孔１ｆと前記基台部１ｂの中央に設けられた前記挿通孔１ｃとの間には、お互いを連結する連結孔１ｇが設けられており、この連結孔１ｇには後述する作動部材６、７の係合腕部６ｂ、７ｂが上下方向に昇降移動自由に挿通されると共に、左右への回転移動が規制されるものとなっている。
【００２４】
また、前記基台部１ｂの４辺のうち他方の対向する２辺の近傍には、後述する導光部材１２の一端側が挿通されて保持される導光孔１ｈが形成されている。この導光孔１ｈに挿通される導光部材１２を介して、後述する第１の操作ノブ２の表面に表示された指標２ｄが照光表示されるものとなっている。
【００２５】
また、前記ケース１の側面部には、係止用突部１ｉ、及び係合凹部１ｊが形成されており、この係合凹部１ｊに後述するカバー１５の係合凸部１５ａが係合されて前記ケース１の下面開口にカバー１５が取付けられるものとなる。また、スイッチ装置を外部のパネルなどに取付ける際に、前記係止用突部１ｉで位置決めされるものとなっている。
【００２６】
第１の操作ノブ２は、合成樹脂などの絶縁材からなり、方形状の基板部２ａと、この基板部２ａの上側に突設された円状の操作部２ｂから構成されている。この操作部２ｂの中央には、前記基板部２ａの下側まで貫通した円状の開口部２ｃが設けられており、この開口部２ｃに後述する第２の操作ノブ４が挿通されるものとなっている。また、前記第１の操作ノブ２と第２の操作ノブ４との間には干渉用としての円環状のスポンジ３が配設されている。
【００２７】
また、前記操作部２ｂの表面には、４方向に向けた矢印などの指標２ｄ、及び左右のミラー位置などを示す指標２ｅが設けられており、この内指標２ｄが設けられた前記操作部２ｂの部分は透明あるいは乳白などのスモーク（半透明）状の樹脂で構成されている。この指標２ｄの下側に、後述する導光部材１２などの一端側が隣接されてこの導光部材１２を介して前記指標２ｄが照光表示されるものとなっている。
【００２８】
第２の操作ノブ４は、同じく合成樹脂などの絶縁材からなり、円板状の鍔部４ａと、この鍔部４ａの上側に突出された円柱状の摘み部４ｂから構成されている。また、前記鍔部４ａの一端部には、下方に延設されたガイドアーム４ｃが設けられている。このガイドアーム４ｃが前記ケース１の基台部１ｂに形成された前記ガイド孔１ｄに挿通され、左右方向に回転可能に配設されると共に、左右回転時のストッパー部の役割をなすものとなっている。また、前記鍔部４ａの下側には、後述するホルダー５と嵌合する嵌合孔（図示せず）が設けられている。
【００２９】
ホルダー５は、合成樹脂などの絶縁材で略円柱状に形成されており、上面側には前記第２の操作ノブ４と嵌合する嵌合突部５ａ、及び前記鍔部４ａに当接して位置決めする受板部５ｂが設けられている。また、前記ホルダー５の下方の一端側には、突起状をした駆動カム部５ｃが形成されている。この駆動カム部５ｃは、対向された一対の傾斜面５ｄ、５ｅの交わる頂点で構成されており、この一対の傾斜面５ｄ、５ｅに、後述する作動カム部６ａ、７ａの傾斜面がそれぞれ対向して配置されるようになっている。また、前記ホルダー５は、前記第２の操作ノブ４と嵌合されることで、前記第２の操作ノブ４が回転される際には、一体的に回転するものとなっている。
【００３０】
このように、前記第２の操作ノブ４は、前記ホルダー５と着脱可能に形成されており、前記ホルダー５の一端側に突起状の前記駆動カム部５ｃを形成するようにしたので、前記ホルダー５の構成の共通化が可能となり、前記第２の操作ノブ４を前記ホルダー５に後工程で挿着することが可能となるため、前記第２の操作ノブ４の種種のバラエティーの対応が可能となっている。
【００３１】
作動部材６、及び７は、合成樹脂などの絶縁材で形成され、この作動部材６と７はお互いに対向されて配置されることから、それぞれが略対称形状となるように形成されている。この作動部材６、７は、略円筒状のものをそれぞれ放射線上で３等分に分割した形状のうちの２個からなり、それぞれが独立して上下方向に昇降移動可能なように前記ケース１の基台部１ｂの前記挿通孔１ｃに挿通されている。
【００３２】
前記作動部材６、７の上面側には、お互いが線対称となるように対向された傾斜面からなる作動カム部６ａ、７ａが形成されている。また、この作動カム部６ａ、７ａは、お互いの傾斜面が隣接して交わる点が底部となるような略Ｖ字状に形成されており、この作動カム部６ａ、７ａのＶ字状の傾斜面に、前記ホルダー５の駆動カム部５ｃの両側に対向して形成された一対の前記傾斜面５ｄ、５ｅがそれぞれ対向して配置されるものとなっている。
【００３３】
このように、突起状の前記駆動カム部５ｃを、対向された一対の傾斜面の交わる頂点で構成し、この一対の傾斜面に前記作動カム部６ａ、７ａの傾斜面をそれぞれ対向させて配置するようにしてあるので、一対の傾斜面同士が当接された状態で保持されるため、前記ホルダー５と前記第２の操作ノブ４の中立位置での位置決めが容易に行えると共に、左右への回転操作がスムーズに行われ操作フィーリングの向上が図れるものとなっている。
【００３４】
また、前記作動部材６、７の外周面の下方側には、移動方向とは直交する方向で、お互いに反対方向の側方へ突出した係合腕部６ｂ、７ｂが形成されている。そして、前記第２の操作ノブ４が左右方向に回転操作される際には、前記駆動カム部５ｃが前記作動カム部６ａ、７ａの傾斜面を摺動することにより、前記作動部材６、７を上下方向に昇降移動させると共に、前記係合腕部６ｂ、７ｂが、後述する第２のスライド１１と係合し、第２のスライド１１を上下方向に摺動させるものとなっている。
【００３５】
また、前記作動部材６、７の下面側には、ばね受部（図示せず）が設けられており、このばね受部にコイルばね８の一端がそれぞれ係合されることで、前記作動部材６、７は常時上方へ付勢されている。
【００３６】
中間部材９は、略円筒状のものをそれぞれ放射線上で３等分に分割した形状のうちの残りの１個からなり、前記作動部材６、７の中央部分に配設されている。この中間部材９の上面側には突状の係止カム部９ａが形成されており、この係止カム９ａに前記ホルダー５の下面側に形成された図示しない係止溝部が係止されることにより前記第２の操作ノブ４が左右方向の所定位置に保持されるようになっている。また、前記中間部材９も同じようにコイルばね８により常時上方へ付勢されている。
【００３７】
４個の第１のスライド１０は、それぞれ合成樹脂などの絶縁材により同様に形成されており、前記ケース１の基台部１ｂの前記第１の摺動孔１ｅに上下方向に昇降移動自由に挿通される棒状部１０ａと、この棒状部１０ａの下端側に設けられ後述する第１のスイッチ部１３と当接する押圧部１０ｂが設けられている。この第１のスライド１０は、前記第１の操作ノブ２が揺動される際に、その操作方向に対応した前記第１のスライド１０が押し下げられるものとなり、この第１のスライド１０の下側に配置された第１のスイッチ部１３が作動されるものとなっている。
【００３８】
２個の第２のスライド１１は、同じく合成樹脂などの絶縁材により同様に形成されており、前記ケース１の基台部１ｂの前記第２の摺動孔１ｆに上下方向に昇降移動自由に挿通される棒状部１１ａとこの棒状部１１ａの下端側に設けられ後述する第２のスイッチ部１４と当接する押圧部１１ｂが設けられている。また、前記棒状部１１ａの基部側には、前記作動部材６、７の下方側に形成された前記係合腕部６ｂ、７ｂが係合し、前記第２のスライド１１を下方向に押圧する係合段部１１ｃがそれぞれ設けられている。
【００３９】
前記第２のスライド１１は、前記第２の操作ノブ４が左右に回転操作される際に、その操作方向に対応した前記第２のスライド１１が押し下げられるものとなり、この第２のスライド１１の下側に配置された第２のスイッチ部１４が作動されるものとなっている。
【００４０】
また、前記第２のスライド１１は、ポリカーボネイトやアクリルなどの光を透過できる透明な樹脂からなり、前記棒状部１１ａの上端側が、前記第１の操作ノブ２に近接されて配置され、前記第１の操作ノブ２の操作部２ｂの表面に形成された前記指標２ｄを照光表示するための導光体としての役割も兼ねたものとなっている。
【００４１】
尚、上記実施例においては、前記第２のスライド１１は、前記作動部材６、７の下方側に形成された前記係合腕部６ｂ、７ｂと係合して下方向に押し下げられるものとなっており、前記第２のスライド１１と前記作動部材６、７とは別体で形成されているが、前記作動部材６、７と前記第２のスライド１１とを一体に形成するようにしても良い。この場合には、部品点数が削減され、構成が簡易化されるものとなる。
【００４２】
導光部材１２は、ポリカーボネイトやアクリルなどの光を透過できる透明な樹脂で略Ｕ字状に形成されている。この導光部材１２は、ＬＥＤなどの照光部材１７が配設される集光部１２ａを有する基部１２ｂと、この基部１２ｂの両端側に対向して立設された一対の導光部１２ｃとから構成されており、この導光部１２ｃの先端側が、前記ケース１の基台部１ｂに設けられた前記導光孔１ｈに挿通されて前記第１の操作ノブ２の操作部２ｂの表面に形成された前記指標２ｄを照光表示するものとなっている。
【００４３】
第１、第２のスイッチ部１３、１４は、シリコンゴムなどの弾性及び絶縁性を有する部材からなり、このスイッチ部１３、１４は、複数のドーム状をしたラバースプリング１３ａ、１４ａが形成されている。また、このラバースプリング１３ａ、１４ａの内面には導電性の部材からなる可動接点（図示せず）が形成されている。
【００４４】
このように、前記第１、及び第２のスイッチ部１３、１４を、前記ラバースプリング１３ａ、１４ａを有するゴム部材からなる接点で構成するようにしたので、第１、第２のスイッチ部１３、１４の部品の共通化が図れると共に、スイッチの小型化、及びローコスト化が容易に行えるものとなっている。
【００４５】
回路基板１５は、フェノール樹脂などの積層板からなり、この回路基板１５の上面には、カーボンや銀ペーストなどの導電性の材料からなる複数の固定接点１５ａが形成されている。この固定接点１５ａ上に前記ラバースプリング１３ａ、１４ａが対向して配設されるものとなっている。
【００４６】
カバー１６は、合成樹脂などの絶縁材殻なり、上面が開口された箱型に形成されている。このカバー１６の側面には、前記ケース１の係合凹部１ｊと係合される係合凸部１６ａが形成されており、前記ケース１の下面開口を前記カバー１６で覆うように形成されている。
【００４７】
次に、図２及び図３を用いて本発明のスイッチ装置の２方向スイッチ部分の動作を説明する。
図２は初期状態を示し、この状態においては、前記第２の操作ノブ４は中間位置にあり、突起状をした前記駆動カム部５ｃは、前記作動部材６、７の傾斜面からなる前記作動カム部６ａ、７ａの略Ｖ字状の傾斜面の底部に位置されて保持されている。
【００４８】
この場合、前記作動部材６、７は前記コイルばね８によって上方に付勢されているため、前記係合腕部６ｂ、７ｂが前記第２のスライド１１の係合段部１１ｃを下方向に押圧することがなく、前記第２のスライド１１は、これに対応して下方に配設されている前記第２のスイッチ部１４、１４のラバースプリング１４ａ、１４ａの付勢力によって上方に付勢されており、図２で示す左右に位置する前記第２のスイッチ部１４、１４は作動されずオフ状態となっている。
【００４９】
次に、図３に示すように、前記第２の操作ノブ４を矢印方向（反時計方向）に回転させると、第２の操作ノブ４と一体に係合された前記ホルダー５も回転されて、前記駆動カム部５ｃが図３に示す右側に位置する前記作動部材７の作動カム部７ａの傾斜面と摺動されることになる。
【００５０】
この時、前記作動部材７は、前記ケース１の中央に設けられた前記挿通孔１ｃと前記第２の摺動孔１ｆとの間に設けられた前記連結孔１ｇに、前記係合腕部７ｂが上下方向に昇降移動自由に挿通されると共に、左右への回転移動が規制されていることから、前記作動部材７は前記作動カム部７ａの傾斜面に沿って下方へ押圧されることになり、前記コイルばね８の付勢力に抗して下方へと移動する。
【００５１】
この時、前記作動部材７の係合腕部７ｂが図３に示す右側に位置する前記第２のスライド１１の係合段部１１ｃを下方に押圧することになり、前記第２のスライド１１が下方に移動する。そして、前記第２のスライド１１の下方に配置された前記第２のスイッチ部１４が押圧され、前記ラバースプリング１４ａが撓むことにより図示しない可動接点が前記回路基板１５に形成された固定接点１５ａと接触してスイッチがオン状態となる。
【００５２】
この状態では、例えば、自動車のリモートコントロールミラーの左側のミラーの駆動回路がオンとなっており、この状態で、前記第１の操作ノブ２を表面の前記指標２ｄの矢印方向に沿って上下左右に揺動操作させることにより、対応する前記第１のスライド１０が押し下げられ、下方に配置された前記第１のスイッチ部１３が押圧されてスイッチがオンすることにより、自動車の左側のミラーの位置調整を行うことができるものとなっている。
【００５３】
このように、前記作動部材６、７に傾斜面からなる前記作動カム部６ａ、７ａと、移動方向とは直交する方向へ突出した前記係合腕部６ａ、７ａを形成することにより、操作力を伝達する前記作動カム部６ａ、７ａに傾斜面を設けるという簡単な構成で、前記第２の操作ノブ４の回転動作を、前記第２のスライド１１の上下方向への昇降動作に変換することができるので、構成が簡易となり、ローコスト対応が可能となっている。
【００５４】
また、この時、図３に示す左側に位置する前記作動部材６は、前記作動カム６ａと前記駆動カム部５ｃの傾斜面５ｄとの関係で、前記コイルばね８の付勢力によって若干上方に移動されるものとなっており、図３に示す左側に位置する前記第２のスライド１１の係合段部１１ｃと、前記作動部材６の係合腕部６ｂとが確実に離脱された状態となり、図３に示す左側に位置する前記第２のスイッチ部１４は確実にオフ状態となっている。
【００５５】
尚、前記第２の操作ノブ４を矢印方向（反時計方向）と反対方向（時計方向）に回転させる場合においても、上記と同様の動作になることから、説明は省略する。
【００５６】
上記した実施例によれば、前記ケース１に４方向へ揺動操作可能に取付けられた前記第１の操作ノブ２の開口部に挿通される前記第２の操作ノブ４を、開口部に左右の２方向へ回転操作可能に設けると共に、前記第２の操作ノブ４に一体に係合された前記ホルダー５の一端側に、前記突起状の駆動カム部５ｃを設け、また、前記ケース１の収納部１ａには前記駆動カム部５ｃに当接し駆動される一対の前記作動部材６、７を配設して、前記第２の操作ノブ４が左右方向に回転操作される際には、前記駆動カム部５ｃが前記作動部材６、７を互いに上下方向に昇降移動させることにより、左右に位置する前記第２のスライド１１、１１を互いに上下方向に摺動させ、下方に対応して配置された前記第２のスイッチ部１４、１４を作動するようにしているので、前記第２の操作ノブ４を傾倒操作させる必要が無く、左右方向への回転操作のみで前記第２のスイッチ部１４、１４を作動することができるため、前記ケース１の収納部１ａ内に前記第２の操作ノブ４が傾倒する際の倒れストロークを確保する必要がないことから、前記ケース１の小型化が可能となり、しいては、スイッチ装置全体の小型化が図れるものとなっている。
【００５７】
【発明の効果】
以上説明したように、本発明のスイッチ装置は、収納部を有するケースと、中央に開口部を有し、ケースに多方向へ揺動操作可能に取付けられた第１の操作ノブと、この第１の操作ノブの開口部に挿通され、２方向へ操作可能な第２の操作ノブと、収納部に収納され第１の操作ノブの揺動操作に伴って収納部内を摺動する第１のスライドと、収納部に収納され第２の操作ノブの操作に伴って収納部内を摺動する第２のスライドと、第１及び第２のスライドの摺動により作動される第１及び第２のスイッチ部とを備え、第２の操作ノブは開口部に左右方向へ回転操作可能に設けられると共に、その一端側に突起状の駆動カム部を設け、収納部には駆動カム部に当接し駆動される作動部材を配設し、第２の操作ノブが左右方向に回転操作される際、駆動カム部が作動部材を上下方向に昇降移動させることにより、第２のスライドを上下方向に摺動させ、第２のスイッチ部を作動するようにしたことから、第２の操作ノブを傾倒操作させる必要が無く、左右方向への回転操作のみで第２のスイッチ部を作動することができるため、ケースの収納部内に第２の操作ノブが傾倒する際の倒れストロークを確保する必要がないので、ケースの小型化が可能となり、スイッチ装置の小型化が図れる。
【００５８】
また、ケースの収納部には、第２の操作ノブが挿着されるホルダーを備え、このホルダーの一端側に突起状の駆動カム部を形成したことから、ホルダーの構成の共通化が可能となり、第２の操作ノブをホルダーに後工程で挿着することが可能となるため、第２の操作ノブの種種のバラエティーの対応が可能となる。
【００５９】
また、作動部材には、傾斜面からなる作動カム部と、移動方向とは直交する方向へ突出した係合腕部を形成し、第２の操作ノブが左右方向に回転操作される際、突起状の駆動カム部が作動カム部の傾斜面を摺動することにより作動部材を上下方向に昇降移動させると共に、係合腕部が第２のスライドと係合し第２のスライドを上下方向に摺動させることから、操作力を伝達する作動カム部に傾斜面を設けるという簡単な構成で、第２の操作ノブの回転動作を、第２のスライドの上下方向への昇降動作に変換することができるため、構成が簡易となり、ローコスト対応が可能となる。
【００６０】
また、ケースの収納部に、作動部材を対向させて２個配設すると共に、突起状の駆動カム部を、対向された一対の傾斜面の交わる頂点で構成し、この一対の傾斜面に作動カム部の傾斜面をそれぞれ対向させて配置するようにしたことから、一対の傾斜面同士が当接された状態で保持されるため、中立位置での位置決めが容易に行えるとともに、左右への回転操作がスムーズに行われ操作フィーリングの向上が図れる。
【００６１】
また、第１及び第２のスイッチ部は、ラバースプリングを有するゴム接点で構成されたことから、部品の共通化が図れると共に、小型化及びローコスト化が容易となる。
【図面の簡単な説明】
【図１】本発明の一実施例であるスイッチ装置を示す分解斜視図である。
【図２】本発明のスイッチ装置の２方向スイッチ部分を示す部分詳細図である。
【図３】本発明のスイッチ装置の２方向スイッチ部分の動作状態を示す部分詳細図である。
【図４】従来のスイッチ装置を示す断面図である。
【図５】従来のスイッチ装置の動作状態をを示す断面図である。
【符号の説明】
１  ケース
１ａ  収納部
１ｂ  基台部
１ｃ  挿通孔
１ｄ  ガイド孔
１ｅ  第１の摺動孔
１ｆ  第２の摺動孔
１ｇ  連結孔
１ｈ  導光孔
１ｉ  係止用突部
１ｊ  係合凹部
２  第１の操作ノブ
２ａ  基板部
２ｂ  操作部
２ｃ  開口部
２ｄ  指標
２ｅ  指標
３  スポンジ
４  第２の操作ノブ
４ａ  鍔部
４ｂ  摘み部
４ｃ  ガイドアーム
５  ホルダー
５ａ  嵌合突部
５ｂ  受板部
５ｃ  駆動カム部
５ｄ，５ｅ  傾斜面
６，７  作動部材
６ａ，７ａ  作動カム部
６ｂ，７ｂ  係合腕部
８  コイルばね
９  中間部材
９ａ  係止カム部
１０  第１のスライド
１０ａ  棒状部
１０ｂ  押圧部
１１  第２のスライド
１１ａ  棒状部
１１ｂ  押圧部
１１ｃ  係合段部
１２  導光部材
１２ａ  集光部
１２ｂ  基部
１２ｃ  導光部
１３  第１のスイッチ部
１３ａ  ラバースプリング
１４  第２のスイッチ部
１４ａ  ラバースプリング
１５  回路基板
１５ａ  固定接点
１６  カバー
１６ａ  係合凸部
１７  ＬＥＤ（照光部材）
【図１】
2004342503.tif 000003
【図２】
2004342503.tif 000004
【図３】
2004342503.tif 000005
【図４】
2004342503.tif 000006
【図５】
2004342503.tif 000007